(57)【要約】【課題】流しのシンクに水、湯または混合水を溜める以外に、ゴミ受けカゴや菊割れフタに付着している生ゴミ、あるいは、下水からの異臭を消すことができる構成を有する蓋を提供すること。【解決手段】流しの排水口２の上部に設けられる菊割れフタ１に対し着脱自在に設置され、流しのシンクＡに水、湯または混合水を溜めるための蓋９において、生ゴミや下水用の消臭剤Ｐを裏側に設けてある。【選択図】　　　　　図２
2004044275.tif 000002
【特許請求の範囲】
【請求項１】
流しの排水口の上部に設けられる菊割れフタに対し着脱自在に設置され、流しのシンクに水、湯または混合水を溜めるための蓋において、生ゴミや下水用の消臭剤を裏側に設けてあることを特徴とする蓋。
【請求項２】
前記菊割れフタの環状枠部内周面によって形成される上方開口を覆うよう前記菊割れフタに設置されるとともに、前記消臭剤を、前記環状枠部内周面の側に設けた請求項１に記載の蓋。
【請求項３】
中央に把手を有し、前記菊割れフタの環状枠部内周面によって形成される上方開口を覆うよう前記菊割れフタに設置されるとともに、前記消臭剤を、前記把手の直下に吊り下げられた網目を有する篭体に収容した請求項１に記載の蓋。
【請求項４】
前記消臭剤が収容されている前記篭体を、前記菊割れフタの底部の中心部に形成された孔を挿通させて設置するように構成してある請求項３に記載の蓋。
【請求項５】
流しの排水口の上部に設けられる菊割れフタに対し着脱自在に設置され、流しのシンクに水、湯または混合水を溜めるための蓋において、生ゴミや下水用の消臭剤を裏側に設けてなり、更に、把手を表面側に有し、下方開口を裏面側に有する蓋本体と、前記下方開口を覆う底蓋とを備え、前記蓋本体は、前記下方開口を前記底蓋で覆ったときに、前記底蓋とで、前記消臭剤を収容するために形成される収容空間を有する一方、前記底蓋は、前記収容空間と外部とを連通する連通穴を有することを特徴とする蓋。
【請求項６】
前記菊割れフタの環状枠部内周面によって形成される上方開口を覆うよう前記菊割れフタに設置される請求項５に記載の蓋。
【発明の詳細な説明】
【０００１】
【発明の属する技術分野】
この発明は、流しの排水口の上部に設けられる菊割れフタに対し着脱自在に設置され、流しのシンクに水、湯または混合水を溜めるための蓋に関するものである。
【０００２】
【従来の技術および発明が解決しようとする課題】
従来この種の蓋は、これを流しの排水口の上部に設けた菊割れフタに嵌めて菊割れフタに形成されている複数の排水孔等を塞ぎ、流しのシンクに水、湯または混合水を溜めるときに使用されたり、流しの排水口の菊割れフタ直下に設置されるゴミ受けカゴに付着している生ゴミや、菊割れフタに付着している生ゴミ、あるいは、下水からの異臭が外部に漏れないようにするために使用されており、単独で、あるいは、菊割れフタとセットで販売されている。
【０００３】
【発明が解決しようとする課題】
ところで、前記異臭を消すために市販の消臭剤が使用されているが、これを前記ゴミ受けカゴ等に設置する必要があった。
【０００４】
この発明は、流しのシンクに水、湯または混合水を溜める以外に、ゴミ受けカゴや菊割れフタに付着している生ゴミ、あるいは、下水からの異臭を消すことができる構成を有する蓋を提供することを目的とする。
【０００５】
【課題を解決するための手段】
上記目的を達成するために、この発明の蓋は、流しの排水口の上部に設けられる菊割れフタに対し着脱自在に設置され、流しのシンクに水、湯または混合水を溜めるための蓋において、生ゴミや下水用の消臭剤を裏側に設けてある。
【０００６】
また、この発明は別の観点から、流しの排水口の上部に設けられる菊割れフタに対し着脱自在に設置され、流しのシンクに水、湯または混合水を溜めるための蓋において、生ゴミや下水用の消臭剤を裏側に設けてなり、更に、把手を表面側に有し、下方開口を裏面側に有する蓋本体と、前記下方開口を覆う底蓋とを備え、前記蓋本体は、前記下方開口を前記底蓋で覆ったときに、前記底蓋とで、前記消臭剤を収容するために形成される収容空間を有する一方、前記底蓋は、前記収容空間と外部とを連通する連通穴を有することを特徴とする蓋を提供する。
【０００７】
【発明の実施の形態】
以下にこの発明の実施の形態について説明する。なお、この発明はそれによって限定されるものではない。
【０００８】
図１〜図５は、生ゴミや下水用の消臭剤を裏側に設けてあるこの発明の第１の実施形態を示す。
【０００９】
図１〜図５において、１は、流しの排水口２の上部２ａにはめ込まれて使用される菊割れフタで、流しの排水口２の菊割れフタ直下にゴミ受けカゴＢが設置されている。
【００１０】
菊割れフタ１は、平面視円形の上方開口３ａを形成する内周面ｉを有する環状枠部３と、平面視円形の底部４とより主としてなる。底部４は、環状枠部３の内周面ｉから連設された複数の菊割れ舌片５で構成される。
【００１１】
前記環状枠部３は、径方向内側に突出した状態で形成された環状突条部６を内周面ｉに有する。前記底部４は、中心部分に丸孔７を有するとともに、ゴミ受けカゴＢに連通する複数の排水用長孔８を、丸孔７から離れた内周面ｉの側に円周方向に沿った状態で有する。前記排水用長孔８は、円周方向よりも径方向に長い。
【００１２】
以下、この発明の特徴的構成について説明する。
【００１３】
９は、上方開口３ａを覆うよう菊割れフタ１の底部４上に着脱自在に設置される樹脂製の蓋である。蓋９の裏側には、生ゴミや下水用の消臭剤Ｐが設けられている。
【００１４】
前記蓋９は、平面視円形の蓋天板１１と、生ゴミや下水用の消臭剤１０が収容される縦断面略Ｌ字型で環状の垂下板１２とで構成される。
【００１５】
前記蓋天板１１は、中央に縦断面凸状の把手Ｃを有し、この把手Ｃを挟むよう対称な形で対向配置された一対の凹所１０，１０を有する。各凹所１０は、蓋天板１１の外周縁１１ａから把手Ｃの側にかけて下方に湾曲する湾曲面部Ｓによって形成されている。
【００１６】
垂下板１２は、外周縁１１ａから垂下して連設された環状の周面部１３と、この周面部１３の下端から内側直角方向に所定長さＬだけ延設され円周方向に沿った形で環状に形成してある、径方向の幅がＬの環状内側円周面部１４と、この環状内側円周面部１４の内周全周にわたり上方に突出した状態で形成された内周突出部分１４ａとを有する。９ａは、環状内側円周面部１４によって形成される蓋９の下方開口である。
【００１７】
なお、前記蓋９は、環状突条部６に周面部１３の外周面１３ａが押圧された状態で菊割れフタ１の底部４上に着脱自在に設置される。そのため、前記押圧状態により底部４に設けた前記排水用長孔８および丸孔７へ排水が漏れるのを防止でき、流しのシンクＡに水、湯または混合水を溜めることができる。
【００１８】
更に、１５は、蓋天板１１の円周方向に沿った凹所１０の領域を示すが、蓋９は、前記消臭剤Ｐを収容するための収容空間１００を前記領域１５内に有している。
【００１９】
すなわち、前記収容空間１００は、蓋天板１１の全周にわたり形成されているのではなく、蓋天板１１の湾曲面部Ｓの直下にのみ形成されている。つまり、前記収容空間１００は、蓋天板１１の湾曲面部Ｓと、垂下板１２と、蓋天板１１の円周方向に沿って前記領域１５の両端の湾曲面部Ｓが途切れる位置に設けられ、前記消臭剤Ｐの円周方向に沿った前記領域１５外への移動を阻止する一対の仕切壁（図示せず）とによって形成される。
【００２０】
また、前記蓋９は、前記収容空間１００へ消臭剤Ｐを収容するための窓１６と、この窓１６を開閉する開閉自在なヒンジ１７付きの扉１８を有する。この窓１６は、図４に示すように、環状内側円周面部１４と内周突出部分１４ａを跨いで切欠いたものであり、扉１８は、ヒンジ１７を有する。
【００２１】
而して、流しのシンクＡを清掃した後、消臭剤Ｐが収容されている蓋９を菊割れフタ１にはめ込むだけで、消臭剤をゴミ受けカゴＢ等に設置する手間を省くことができる。
【００２２】
図６、図７は、中央に設けた把手２０の直下に吊り下げられた網目２１ａを有する篭体２１に生ゴミや下水用の消臭剤Ｐを収容したこの発明の第２の実施形態を示す。なお、図６、図７において、図１〜図５に示す符号と同一のものは同一または相当物である。また、この実施形態では、上記実施形態で用いたのと同一形状の菊割れフタ１を採用している。
【００２３】
図６、図７において、２９は、菊割れフタ１の前記環状枠部３の内周面ｉによって形成される上方開口３ａを覆うよう菊割れフタ１の底部４上に着脱自在に設置される蓋である。蓋２９の裏側には、生ゴミや下水用の消臭剤Ｐが設けられている。
【００２４】
前記蓋２９は、図５にも示すように、中央に把手２０を有し、前記消臭剤Ｐを、前記把手２０の直下に吊り下げられた網目２１ａを有する篭体２１に収容してある。そして、前記消臭剤Ｐが収容されている前記篭体２１を、前記菊割れフタ１の底部４の中心部に形成された丸孔７を挿通させて設置するように構成してある。
【００２５】
而して、流しのシンクＡを清掃した後、消臭剤Ｐが収容されている蓋９を菊割れフタ１にはめ込むだけで、消臭剤をゴミ受けカゴＢ等に設置する手間を省くことができる。
【００２６】
図８〜図１１は、この発明の第３の実施形態を示す。なお、図８〜図１１において、図１〜図９に示す符号と同一のものは同一または相当物である。また、この実施形態では、上記各実施形態で用いたのと同一形状の菊割れフタ１を採用している。
【００２７】
図８〜図１１において、３９は、菊割れフタ１の前記環状枠部３の内周面ｉによって形成される上方開口３ａを覆うよう菊割れフタ１の底部４上に着脱自在に設置される蓋である。蓋３９の裏側には、生ゴミや下水用の消臭剤Ｐが設けられている。
【００２８】
前記蓋３９は、把手Ｃを表面側に有し、下方開口２２ａを裏面側に有する平面視円形の蓋本体２２と、前記下方開口２２ａを覆う底蓋２３とを備えている。
【００２９】
そして、前記蓋本体２２は、前記下方開口２２ａを前記底蓋２３で覆ったときに、前記底蓋２３とで、前記消臭剤Ｐを収容するために形成される収容空間１０１，１０２を有する一方、前記底蓋２３は、前記収容空間１０１，１０２と外部とを連通する複数の連通穴２４を有する。
【００３０】
更に、前記蓋本体２２は、平面視円形の蓋天板１１と、生ゴミや下水用の消臭剤１０が収容される縦断面略Ｌ字型で環状の垂下板１２’とで構成される。
【００３１】
前記蓋天板１１は、中央に縦断面凸状の把手Ｃを有し、この把手Ｃを挟むよう対称な形で対向配置された一対の凹所１０，１０を有する。各凹所１０は、図１で示した蓋天板１１の外周縁１１ａよりも大きな幅Ｆを有する外周縁１１ａ’から把手Ｃの側にかけて下方に湾曲する湾曲面部Ｓによって形成されている。
【００３２】
垂下板１２’は、外周縁１１ａ’から垂下して連設された環状の周面部１３と、この周面部１３の下端から内側直角方向に所定長さだけ延設され円周方向に沿った形で環状に形成してある環状係止部１４’とを有する。前記下方開口２２ａは、環状係止部１４’によって形成される。
【００３３】
また、前記底蓋２３は、上面２３ａに環状係止部１４’に係合する係合爪３３を先端に有する複数の係止脚３４を有する。
【００３４】
而して、流しのシンクＡを清掃した後、消臭剤Ｐが収容されている蓋９を菊割れフタ１にはめ込むだけで、消臭剤をゴミ受けカゴＢ等に設置する手間を省くことができる。
【００３５】
【発明の効果】
以上説明したようにこの発明では、流しのシンクに水、湯または混合水を溜める以外に、ゴミ受けカゴや菊割れフタに付着している生ゴミ、あるいは、下水からの異臭を消すことができる構成を有する蓋を提供することができる。
【図面の簡単な説明】
【図１】この発明の第１の実施形態を示す構成説明図である。
【図２】上記実施形態における使用状態を示す構成説明図である。
【図３】上記実施形態の表側を示す斜視図である。
【図４】上記実施形態の裏側と要部を示す斜視図である。
【図５】この発明で用いた菊割れフタとこの発明の蓋とを示す斜視図である。
【図６】この発明の第２の実施形態を示す構成説明図である。
【図７】上記第２の実施形態における使用状態を示す構成説明図である。
【図８】この発明の第３の実施形態の表側を示す斜視図である。
【図９】上記第３の実施形態における使用状態を示す分解斜視図である。
【図１０】上記第３の実施形態を示す構成説明図である。
【図１１】上記第３の実施形態における使用状態を示す構成説明図である。
【符号の説明】
１…菊割れフタ、２…流しの排水口、９…蓋、Ａ…流しのシンク、Ｐ…消臭剤。
【図１】
2004044275.tif 000003
【図２】
2004044275.tif 000004
【図３】
2004044275.tif 000005
【図４】
2004044275.tif 000006
【図５】
2004044275.tif 000007
【図６】
2004044275.tif 000008
【図７】
2004044275.tif 000009
【図８】
2004044275.tif 000010
【図９】
2004044275.tif 000011
【図１０】
2004044275.tif 000012
【図１１】
2004044275.tif 000013